(57)【要約】【課題】本体の振動が天井パネルに伝わらず騒音を低減し、かつ、施工時、高所への施工が容易にすることができることを目的とする。【解決手段】本体１は、冷媒を圧縮するための圧縮機２と、第一熱交換器３と、膨張機構と、第二熱交換器４とを順に連結し、前記冷媒を流通させるための冷媒回路を設けた冷凍サイクルを本体ユニット６の外郭内に配し、この本体ユニット６側面にはチャンバーユニット１０と送風機ユニット１５を備え、枠体２１に前記チャンバーユニット１０と前記送風機ユニット１５を設置後、前記本体ユニット６を設置位置に案内する案内構造体２３を設けることにより、施工時、施工が容易になるとともに、天吊方式で固定することで、振動の伝播を天井面に伝えにくくできる換気空調装置を提供できる。【選択図】図１
2009121702.tif 000002
【特許請求の範囲】
【請求項１】
内部に、冷媒を圧縮するための圧縮機と、通過する空気に放熱するための第一熱交換器と、前記冷媒を膨張するための膨張機構と、前記通過する空気から吸熱するための第二熱交換器とを順に連結し、前記冷媒を流通させるための冷媒回路を設けた冷凍サイクルを備えた本体ユニットと、他室の空気を取り入れるチャンバーユニットと、汚れた空気を排気する送風機ユニットとを備え、前記本体ユニットと前記チャンバーユニットと前記送風機ユニットは、天井裏に吊り下げられるようにして設け、かつ、前記本体ユニットを設置する位置に案内する案内構造体を設けた枠体を介して接続されることを特徴とする換気空調装置。
【請求項２】
チャンバ−ユニットは、少なくとも２個以上に分割できる構成で、側面に他室よりの空気を吸込む開口と、前記開口にダクト接続するアダプタ−とを設け、前記側面の対面を枠体の側面へねじで連結することを特徴とする請求項１記載の換気空調装置。
【請求項３】
チャンバ−ユニットに設けたアダプターに、ダンパ−を設けることを特徴とする請求項１または２記載の換気空調装置。
【請求項４】
本体ユニットを、防振部材を介して送風機ユニットに固定することを特徴とする請求項１記載の換気空調装置。
【請求項５】
本体ユニットを、防振部材を介してチャンバ−ユニットに固定することを特徴とする請求項１記載の換気空調装置。
【請求項６】
本体ユニットを、防振部材を介して枠体に固定することを特徴とする請求項１記載の換気空調装置。
【請求項７】
本体ユニットの周壁に、フック金具を取付けて設置し、枠体にはワイヤ−を設置することを特徴とする請求項１記載の換気空調装置。
【請求項８】
本体ユニットと送風機ユニットの接続面に連通する穴を設け、前記本体ユニットとチャンバ−ユニットの接続面に連通する穴を設けて、この穴に接続材を差込み本体ユニットを設置することを特徴とした請求項１記載の換気空調装置。
【発明の詳細な説明】
【技術分野】
【０００１】
本発明は、冷凍サイクルを構成し圧縮機を搭載した換気空調装置であって、振動が天井パネルに伝わらず騒音を低減し、かつ、施工時、高所への施工が容易にすることができる構成とした換気空調装置に関する。
【背景技術】
【０００２】
従来、この種の換気空調装置として、取付の際、本体が嵌まり込む大きさの本体取付枠を天井パネルにねじ固定して、本体取付枠の内部開口より排気用筒体に接続した排気ダクトを本体取付枠の側面に取付け後、本体を本体取付枠内部に差込み天井パネルにねじ固定する構成とした換気空調装置が知られている（例えば、特許文献１参照）。
【０００３】
以下、その換気空調装置について、図５を参照しながら説明する。
【０００４】
図に示すように、箱状の本体１０１が嵌まり込む大きさの本体取付枠１０２を天井パネル１０３の開口部１０４を通して天井裏に突出して天井パネル１０３に仮固定する。この本体取付枠１０２の穴１０５に排気用筒体１０６をねじ１０７で取付け、その本体取付枠１０２の内部から排気用筒体１０６と天井裏に配設した排気ダクト（図示せず）を接続する。この後に本体取付枠１０２内に本体１０１を挿入し、本体１０１のフランジ部１０８を天井パネル１０３をの開口部１０４の周縁にねじ（図示せず）にて固定する構成としている。
【特許文献１】特開２０００−２２７２４１号公報
【発明の開示】
【発明が解決しようとする課題】
【０００５】
このような従来の換気空調装置では、取付の際、本体が嵌まり込む大きさの本体取付枠を天井パネルにねじ固定して本体取付枠の内部開口より排気用筒体に接続した排気ダクトを本体取付枠の側面に取付け後、本体を本体取付枠内部に差込み天井パネルにネジ固定する構成となっているために、本体の振動が天井パネルに伝わり騒音の原因になり、また、施工時、本体重量が重く高所への施工が困難で危険が伴うという課題がある。
【０００６】
本発明は、このような従来の課題を解決するものであり、本体の振動が天井パネルに伝わらず騒音を低減し、かつ、施工時、高所への施工が容易にすることができる換気空調装置を提供することを目的とする。
【課題を解決するための手段】
【０００７】
本発明の換気空調装置は、上記目的を達成するために、内部に、冷媒を圧縮するための圧縮機と、通過する空気に放熱するための第一熱交換器と、前記冷媒を膨張するための膨張機構と、前記通過する空気から吸熱するための第二熱交換器とを順に連結し、前記冷媒を流通させるための冷媒回路を設けた冷凍サイクルを備えた本体ユニットと、他室の空気を取り入れるチャンバーユニットと、汚れた空気を排気する送風機ユニットとを備え、前記本体ユニットと前記チャンバーユニットと前記送風機ユニットは、天井裏に吊り下げられるようにして設け、かつ、前記本体ユニットを設置する位置に案内する案内構造体を設けた枠体を介して接続されるものである。
【０００８】
また、他の手段は、チャンバ−ユニットは、少なくとも２個以上に分割できる構成で、側面に他室よりの空気を吸込む開口と、前記開口にダクト接続するアダプタ−とを設け、前記側面の対面を枠体の側面へねじで連結するものである。
【０００９】
また、他の手段は、チャンバ−ユニットに設けたアダプターに、ダンパ−を設けるものである。
【００１０】
また、他の手段は、本体ユニットを、防振部材を介して送風機ユニットに固定するものである。
【００１１】
また、他の手段は、本体ユニットを、防振部材を介してチャンバ−ユニットに固定するものである。
【００１２】
また、他の手段は、本体ユニットを、防振部材を介して枠体に固定するものである。
【００１３】
また、他の手段は、本体ユニットの周壁に、フック金具を取付けて設置し、枠体にはワイヤ−を設置するものである。
【００１４】
また、他の手段は、本体ユニットと送風機ユニットの接続面に連通する穴を設け、前記本体ユニットとチャンバ−ユニットの接続面に連通する穴を設けて、この穴に接続材を差込み本体ユニットを設置するものである。
【発明の効果】
【００１５】
本発明によれば、内部に、冷媒を圧縮するための圧縮機と、通過する空気に放熱するための第一熱交換器と、前記冷媒を膨張するための膨張機構と、前記通過する空気から吸熱するための第二熱交換器とを順に連結し、前記冷媒を流通させるための冷媒回路を設けた冷凍サイクルを備えた本体ユニットと、他室の空気を取り入れるチャンバーユニットと、汚れた空気を排気する送風機ユニットとを備え、前記本体ユニットと前記チャンバーユニットと前記送風機ユニットは、天井裏に吊り下げられるようにして設け、かつ、前記本体ユニットを設置する位置に案内する案内構造体を設けた枠体を介して接続されることにより、本体は、本体ユニットとチャンバーユニットと送風機ユニットを３つにユニット化することで、施工時の軽量化ができ、高所への施工が容易になるとともに、振動源であるユニット化した本体は、枠体による天吊方式で固定することで、振動の伝播を天井面に伝えにくくできるという効果のある換気空調装置を提供することができる。
【００１６】
また、チャンバ−ユニットは、少なくとも２個以上に分割できる構成で、側面に他室よりの空気を吸込む開口と、前記開口にダクト接続するアダプタ−とを設け、前記側面の対面を枠体の側面へねじで連結することにより、３つにユニット化して施工時の軽量化することで施工時、高所への施工が容易にできるとともに、チャンバ−ユニットを少なくとも２個以上に分割して軽量化することで天井裏に設置のためのスペ−スが大きく確保できるため、ユニット化した本体の設置およびダクトの引きまわし、接続が容易にできるという効果のある換気空調装置を提供することができる。
【００１７】
また、チャンバ−ユニットに設けたアダプターに、ダンパ−を設けることにより、３つのユニット化にして軽量化することで施工時、高所への施工が容易にできるとともに、ダンパ−の開閉により他室よりの吸込み風量を変化させることができ、チャンバ−ユニットに居室、トイレ、脱衣室よりの吸込みが接続された場合で脱衣室の湿気が多く早く換気したい時、チャンバ−ユニット内部のトイレと居室を連通する位置にあるダンパ−を閉めて脱衣室の風量を増加させることができるという効果のある換気空調装置を提供することができる。
【００１８】
また、本体ユニットを、防振部材を介して送風機ユニットに固定することにより、本体ユニットと送風機ユニットは防振部材を介して固定しているため防振部材が本体ユニットと送風機ユニットとの振動を吸収するので、本体ユニットと送風機ユニットとの共振を軽減し本体の接触面である天井面への振動の伝播を伝えにくくできるという効果のある換気空調装置を提供することができる。
【００１９】
また、本体ユニットを、防振部材を介してチャンバ−ユニットに固定することにより、本体ユニットとチャンバ−ユニットは防振部材を介して固定しているため防振部材が本体ユニットとチャンバ−ユニットとの振動を吸収するので、本体ユニットとチャンバ−ユニットとの共振を軽減し本体の接触面である天井面への振動の伝播を伝えにくくできるという効果のある換気空調装置を提供することができる。
【００２０】
また、本体ユニットを、防振部材を介して枠体に固定することにより、本体ユニットと枠体は防振部材を介して固定しているため防振部材が本体ユニットと枠体との振動を吸収するので、本体ユニットと枠体との共振を軽減し本体の接触面である天井面への振動の伝播を伝えにくくできるという効果のある換気空調装置を提供することができる。
【００２１】
また、本体ユニットの周壁に、フック金具を取付けて設置し、枠体にはワイヤ−を設置することにより、枠体に接続のワイヤ−に本体ユニットを引っ掛けることにより、重量物である本体ユニットの仮止めができるため、設置作業を容易に安全に行うことができるという効果のある換気空調装置を提供することができる。
【００２２】
また、本体ユニットと送風機ユニットの接続面に連通する穴を設け、前記本体ユニットとチャンバ−ユニットの接続面に連通する穴を設けて、この穴に接続材を差込み各ユニットを設置することにより、本体ユニットを送風機ユニットとチャンバ−ユニットに仮固定することにより、重量物である本体ユニットの仮止めができるため、設置作業を容易に安全に行うことができるという効果のある換気空調装置を提供することができる。
【発明を実施するための最良の形態】
【００２３】
本発明の請求項１記載の換気空調装置は、内部に、冷媒を圧縮するための圧縮機と、通過する空気に放熱するための第一熱交換器と、前記冷媒を膨張するための膨張機構と、前記通過する空気から吸熱するための第二熱交換器とを順に連結し、前記冷媒を流通させるための冷媒回路を設けた冷凍サイクルを備えた本体ユニットと、他室の空気を取り入れるチャンバーユニットと、汚れた空気を排気する送風機ユニットとを備え、前記本体ユニットと前記チャンバーユニットと前記送風機ユニットは、天井裏に吊り下げられるようにして設け、かつ、前記本体ユニットを設置する位置に案内する案内構造体を設けた枠体を介して接続されることとしたものであり、本体ユニットとチャンバーユニットと送風機ユニットの３つのユニット化して構成した本体を天井裏に設置し、そして、天井裏に吊下げられた枠体に本体を設置し、枠体にチャンバ−ユニットおよび送風機ユニットを最初に設置するという作用を有する。
【００２４】
また、チャンバ−ユニットは、少なくとも２個以上に分割できる構成で、側面に他室よりの空気を吸込む開口と、前記開口にダクト接続するアダプタ−とを設け、前記側面の対面を枠体の側面へねじで連結することとしたものであり、チャンバ−ユニットを少なくとも２個以上で連結し、チャンバ−ユニット設置時にダクト接続を分割されたユニットごとに設置、連結して枠体に固定するという作用を有する。
【００２５】
また、チャンバ−ユニットに設けたアダプターに、ダンパ−を設けることとしたものであり、ダンパ−は部品と部品との側面を開口して連通する連結面に位置しており、ダンパ−モ−ターの制御により連結面の開口を開閉してチャンバ−ユニット内部の通風路を形成するという作用を有する。
【００２６】
また、本体ユニットを、防振部材を介して送風機ユニットに固定することとしたものであり、本体ユニット内部に設置の圧縮機および送風機ユニットが運転すると、本体ユニットと送風機ユニットは防振部材を介して固定しているため防振部材が本体ユニットと送風機ユニットとの振幅の揺れを吸収するという作用を有する。
【００２７】
また、本体ユニットを、防振部材を介してチャンバ−ユニットに固定することとしたものであり、本体ユニット内部に設置の圧縮機および送風機ユニットが運転してチャンバ−ユニットが通風されると、本体ユニットとチャンバ−ユニットは防振部材を介してに固定しているため防振部材が本体ユニットとチャンバ−ユニットとの振幅の揺れを吸収するという作用を有する。
【００２８】
また、本体ユニットを、防振部材を介して枠体に固定することとしたものであり、本体ユニット内部に設置の圧縮機および送風機ユニットが運転すると、本体ユニットと枠体は防振部材を介して固定しているため防振部材が本体ユニットと枠体との振幅の揺れを吸収するという作用を有する。
【００２９】
また、本体ユニットの周壁に、フック金具を取付けて設置し、枠体にはワイヤ−を設置することとしたものであり、枠体に送風機ユニットとチャンバ−ユニットを取付け本体ユニットを設置し、枠体に設置されたワイヤ−を本体ユニットの周壁に設置したフック金具に引っ掛けて本体ユニットをぶらさげるという作用を有する。
【００３０】
また、本体ユニットと送風機ユニットの接続面に連通する穴を設け、前記本体ユニットとチャンバ−ユニットの接続面に連通する穴を設けて、この穴に接続材を差込み各ユニットを設置することとしたものであり、枠体に送風機ユニットとチャンバ−ユニットを取付け本体ユニットを設置し、本体ユニットと送風機ユニットの接続面に連通する穴と本体ユニットとチャンバ−ユニットの接続面に連通する穴とに接続材を差込み本体ユニットを仮固定するという作用を有する。
【００３１】
以下、本発明の実施の形態について、図面を参照しながら説明する。
【００３２】
（実施の形態１）
図１および図２に示すように、本体１は、冷媒を圧縮するための圧縮機２から通過する空気に放熱するための第一熱交換器３と前記冷媒を膨張するための膨張機構（図示せず）と前記通過する空気から吸熱するための第二熱交換器４とを順に連結し、前記冷媒を流通させるための冷媒回路（図示せず）を設けた冷凍サイクルを内設した箱状で下方側面外周にフランジ５を形成する本体ユニット６と、この本体ユニット６側面には他室の空気を取り入れる箱状でその側面に室内と連通するダクト７と接続可能なアダプター８を有し、アダプター８には回転軸を有するダンパーモーター（図示せず）の制御により開閉するダンパー９を有した箱体を少なくとも２個以上で連結して構成されるチャンバーユニット１０と、モーター１１によって回転するファン１２を内設し側面に室外と連通する排気ダクト１３と接続可能な排気アダプター１４を設置して汚れた空気を排気する箱状の送風機ユニット１５とで構成され、天井裏１６に、固定設置された天面１７のボルト１８に、ナット１９で側面に吊金具２０を有した略Ｌ字状の枠体２１を吊下げ、本体１の設置開口２２より天面１７を臨んで各室内より配管されたダクト７を分割したユニットごとに接続して連結したチャンバーユニット１０と送風機ユニット１５とを枠体２１にねじにより連結固定後、枠体２１に設けた天面方向に垂直に連結された略Ｌ字で枠状の案内構造体２３に沿わせように本体ユニット６を設置開口２２に対し垂直方向に挿入することで設置する位置に案内し、枠体２１と本体ユニット６のフランジ５とを天井材２４をねじにより連結固定して構成され、本体ユニット６とチャンバーユニット１０、送風機ユニット１５の連結側面および本体ユニット６のフランジ５と枠体２１の連結面にはゴムで成形された防振部材２５を介して構成されている。
【００３３】
上記構成により、本体１は本体ユニット６とチャンバーユニット１０と送風機ユニット１５の３つのユニットで構成され、そして設置の際、天井裏１６に吊下げられた枠体２１にチャンバ−ユニット１０および送風機ユニット１５を最初に設置し、最後に本体ユニット６を設置する。
【００３４】
また、チャンバーユニット１０は、他室の空気を取り入れる箱状でその側面に室内と連通するダクト７と接続可能なアダプター８を有し、アダプター８にはダンパーモーターの制御により開閉するダンパー９を有した箱体を少なくとも２個以上で連結する構成で、ダンパー９の開閉により他室よりの空気を制御してチャンバーユニット１０内部の通風路を形成する。
【００３５】
また、本体ユニット６内部に設置の圧縮機２および送風機ユニット１５が運転すると、本体ユニット６と送風機ユニット１５は防振部材２５を介して固定しているため防振部材２５が本体ユニット６と送風機ユニット１５との振幅の揺れを吸収する。
【００３６】
また、本体ユニット６内部に設置の圧縮機２および送風機ユニット１５が運転して各室内より配管されたダクト７からくる空気がチャンバ−ユニット１０に通風されると、本体ユニット６とチャンバ−ユニット１０は防振部材２５を介して固定しているため防振部材２５が本体ユニット６とチャンバ−ユニット１０との振幅の揺れを吸収する。
【００３７】
また、本体ユニット６内部に設置の圧縮機２および送風機ユニット１５が運転すると、本体ユニット６と枠体２１は防振部材２５を介して固定しているため防振部材２５が本体ユニット６と枠体２１との振幅の揺れを吸収する。
【００３８】
このように本発明の実施の形態１の換気空調装置によれば、本体１は、本体ユニット６とチャンバーユニット１０と送風機ユニット１５を３つにユニット化することで、施工時の軽量化ができ、高所への施工が容易になるとともに、振動源であるユニット化した本体１は、枠体２１による天吊方式で固定することで、振動の伝播を天井面に伝えにくくできることとなる。
【００３９】
また、チャンバ−ユニット１０を少なくとも２個以上に分割して軽量化することで天井裏１６に設置のためのスペ−スが大きく確保できるため、本体１の設置およびダクト７の引きまわし、接続が容易にできることとなる。
【００４０】
また、ダンパ−９の開閉により他室よりの吸込み風量を変化させることができ、チャンバ−ユニット１０に居室、トイレ、脱衣室よりの吸込みが接続された場合で脱衣室の湿気が多く早く換気したい時、チャンバ−ユニット１０内部のトイレと居室を連通する位置にあるダンパ−を閉めて脱衣室の風量を増加させることができることとなる。
【００４１】
また、本体ユニット６と送風機ユニット１５は防振部材２５を介して固定しているため防振部材２５が本体ユニット６と送風機ユニット１５との振動を吸収するので、本体ユニット６と送風機ユニット１５との共振を軽減し本体１の接触面である天井面への振動の伝播を伝えにくくできることとなる。
【００４２】
また、本体ユニット６とチャンバ−ユニット１０は防振部材２５を介して固定しているため防振部材２５が本体ユニット６とチャンバ−ユニット１０との振動を吸収するので、本体ユニット６とチャンバ−ユニット１０との共振を軽減し本体１の接触面である天井面への振動の伝播を伝えにくくできることとなる。
【００４３】
また、本体ユニット６と枠体は防振部材２５を介して固定しているため防振部材２５が本体ユニット６と枠体２１との振動を吸収するので、本体ユニット６と枠体２１との共振を軽減し本体１の接触面である天井面への振動の伝播を伝えにくくできることとなる。
【００４４】
また、上記構成で圧縮機２を横に配置することで本体１の高さ方向を低くすることができ、圧縮機２の回転方向に対して本体１に固定できるためさらに振動を低減することができる。
【００４５】
（実施の形態２）
図３および図４において実施の形態１と異なるところは、本体ユニット６の周壁である側面に略フック状のフック金具２６をねじもしくは溶接にて複数個取付けて設置し、枠体２１には両先端がワッカ状に形成されたワイヤ−２７の片方の先端をねじにて固定し設け、本体ユニット６設置時にワイヤー２７のワッカ部２８をフック金具２６に引っ掛けて本体ユニット６をぶらさげ、案内構造体２３に沿わせて本体ユニット６を設置位置に誘導後、本体ユニット６と送風機ユニット１５の接続面に連通する穴および本体ユニット６とチャンバ−ユニット１０の接続面に連通する穴のそれぞれに棒状の接続材２９を差込み本体ユニット６を仮固定する構成した点である。図３および図４において図１および図２にと同じ構成要素については同じ符号を用い説明を省略する。
【００４６】
上記構成により、本体ユニット６の周壁にフック金具２６設置し、枠体２１にはワイヤ−２７を設置して、本体ユニット６設置時にワイヤー２７をフック金具２６に引っ掛けて本体ユニット６をぶらさげ、本体ユニット６を、本体ユニット６と送風機ユニット１５の接続面に連通する穴および本体ユニット６とチャンバ−ユニット１０の接続面に連通する穴のそれぞれに棒状の接続材２９を差込み本体ユニット６を仮固定する。
【００４７】
このように本発明の実施の形態２の換気空調装置によれば、枠体２１に接続のワイヤ−に本体ユニットを引っ掛けることにより、重量物である本体ユニット６の仮止めができるため、設置作業を容易に安全に行うことができることとなる。
【００４８】
また、本体ユニット６を送風機ユニット１５とチャンバ−ユニット１０に仮固定することにより、重量物である本体ユニットの仮止めができるため、設置作業を容易に安全に行うことができることとなる。
【産業上の利用可能性】
【００４９】
本発明の冷凍サイクルを搭載した換気空調装置は、本体を３つのユニット化にして軽量化することで施工時、高所への施工が容易にでき、振動源である本体を天吊方式で固定することで、振動の伝播を天井面に伝えにくくできる装置に適用できる。
【図面の簡単な説明】
【００５０】
【図１】本発明の実施の形態１の換気空調装置の構成図
【図２】同換気空調装置の構成図
【図３】本発明の実施の形態２の換気空調装置の本体ユニットを吊り下げた状態の構成図
【図４】同換気空調装置の本体ユニットを接続材で係止した状態の構成図
【図５】従来の換気空調装置の構成図
【符号の説明】
【００５１】
１    本体
２    圧縮機
３    第一熱交換器
４    第二熱交換器
６    本体ユニット
７    ダクト
８    アダプター
９    ダンパー
１０  チャンバーユニット
１５  送風機ユニット
１６  天井裏
２１  枠体
２３  案内構造体
２５  防振部材
２６  フック金具
２７  ワイヤー
２９  接続材
【図１】
2009121702.tif 000003
【図２】
2009121702.tif 000004
【図３】
2009121702.tif 000005
【図４】
2009121702.tif 000006
【図５】
2009121702.tif 000007